【事件の表示】
　特許第３２３０１５８号「雨樋支持金具」の請求項１に係る特許に対する特許異議の申立てについて、次のとおり決定する。
【結　論】
　訂正を認める。
　特許第３２３０１５８号の請求項１に係る特許を維持する。
【理　由】
１．手続の経緯
　本件特許第３２３０１５８号（平成１１年７月９日出願、平成１３年９月１４日設定登録）の請求項１に係る発明は、その特許について、特許異議申立人株式会社オーティスより特許異議の申立てがなされ、取消しの理由が通知され、その指定期間内である平成１４年９月１７日に訂正請求がなされたものである。
　
２．訂正の適否についての判断
(2-1)訂正の内容
a：特許請求の範囲の請求項1中の第1行(特許公報第1欄第2〜3行)「型持ち梁(2)」を、「片持梁(2)」と訂正する。
b：特許請求の範囲の請求項1中の第5行(特許公報第1欄第7〜8行)「装着部材(10)を設けその他側端部に」を、「装着部材(10)を設けまたその他側端部に」と訂正する。
c：特許請求の範囲の請求項1中の第9〜13行(特許公報第1欄第14行〜第2欄第4行)「回転支持用突起物(16)を先細段付止着軸(5)を介して両側に設けまた離隔する位置に該回転支持用突起物(16)・・・雨樋支持金具」を、「回転支持用突起物(16)を先細段付止着軸(5)を介して幅方向両側に設けまた遊嵌孔(17)及び該回転支持用突起物(16)の位置から離隔し軒先取付金具(A)と雨樋架設梁(B)との非締結時に雨樋架設梁(B)に重合されない位置に該回転支持用突起物(16)よりも背丈の高い円弧断面形状の雨樋架設梁押上げ突起物(18)を設けた水平方向に回転自在な雨樋架設梁固定用駆動レバー(15)から構成した事を特徴とする雨樋支持金具」と訂正する。
d：明細書第3頁第4行(特許公報第3欄46〜47行)「軒先側端部に雨樋端縁部挟持部材を設けその他側端部に」を、「軒先側端部に雨樋端縁部挟持部材を設けまたその他側端部に」と訂正する。
e：明細書第3頁第8〜11行(特許公報第4欄第2〜7行)「先細段付止着軸を介して両側に設けまた離隔する位置に・・・雨樋支持金具である。」を、「先細段付止着軸を介して幅方向両側に設けまた遊嵌孔及び該回転支持用突起物の位置から離隔し軒先取付金具と雨樋架設梁との非締結時に雨樋架設梁に重合されない位置に該回転支持用突起物よりも背丈の高い円弧断面形状の雨樋架設梁押上げ突起物を設けた水平方向に回転自在な雨樋架設梁固定用駆動レバーから構成した事を特徴とする雨樋支持金具である。」と訂正する。
f：明細書第3頁第19〜20行(特許公報第4欄第16〜18行)「段付平坦部分3に先細段付止着軸孔4を穿設している。該先細段付止着軸孔4には、図3で示す様な断面形状が先細段付形状の止着軸5が、装着される。止着軸5の段付断面形状は」を、「段付平坦部分3に止着軸貫通孔4を穿設している。該止着軸貫通孔4には、図3で示す様な断面形状が先細段付形状の止着軸5が、装着される。先細段付止着軸5の段付断面形状は」と訂正する。
g：明細書第4頁第20行(特許公報第5欄第7〜8行)「先細段付止着軸孔4」を、「止着軸貫通孔4」と訂正する。
h：明細書第4頁第24〜28行(特許公報第5欄第13〜20行)「雨樋架設梁Bに当接して下方から押し上げる様に、押圧する円弧断面形状の回転支持用突起物16を先細段付止着軸5の遊嵌孔17を介して回転する両方向側に設けると共に、遊嵌孔17あるいは回転支持用突起物16の位置から離隔する位置に、該回転支持用突起物16よりも背丈の高い円弧断面形状の雨樋架設梁押上げ突起物18を設けて構成されている。」を、「雨樋架設梁Bに当接して下方側から該雨樋架設梁Bを押し上げる様に、先細段付止着軸5の下端部に嵌着して枢動しかつ雨樋架設梁Bに当接する円弧断面形状の回転支持用突起物16を先細段付止着軸5を介して幅方向両側に設け、さらに遊嵌孔17及び該転支持用突起物16の位置から離隔し軒先取付金具Aと雨樋架設梁Bとの非締結時に雨樋架設梁Bに重合されない位置に該回転支持用突起物16よりも背丈の高い円弧断面形状の雨樋架設梁押上げ突起物18を設けて、水平方向に回転自在に構成されている。」と訂正する。
i：明細書第7頁策IT行(特許公報第7欄第8行)「4　先細段付止着軸孔」を、「4　止着軸貫通孔」に訂正する。　
　
(2-2)訂正の目的の適否・新規事項の有無及び拡張・変更の存否
　上記訂正事項a、f、g及びiについては、「型持ち梁(2)」を「片持梁(2)」に、「先細段付止着軸孔4」を、「止着軸貫通孔4」にそれぞれ訂正したもので、「誤記の訂正」を目的とするものである。
　上記訂正事項b及びdについては、軒先取付金具Aの一側に雨樋装着部材10と他側に雨樋端部持上爪11が一体的に取付けられていることを、接続語「また」で併合したものであり「明りようでない記載の釈明」を目的とするものである。
　上記訂正事項c及びeについては、特許請求の範囲の請求項に記載された「回転支持用突起物(16)を先細段付止着軸(5)を介して両側に設けまた離隔する位置に」の「両側」と「離隔」が明瞭でない理由から訂正したものである。この訂正事項は、明細書4頁19〜28行に雨樋架設梁固定用駆動レバー15の構造を説明し、また明細書第5頁3〜11行に図4を示してその動作を説明すると共に、明細書第6頁5〜16行に動作と機能を説明し、さらには明細書第6頁19〜20行に「本発明の雨樋支持金具は、雨樋架設梁押上げ突起物の挺子作用によって、雨樋が簡単かつ強固に取付けられる」などの説明事項から、「両側」と「離隔」を明確に説明したものである。したがって、この訂正は、明りょうでない記載の釈明を目的とするものである。
　上記訂正事項hについては、雨樋架設梁固定用駆動レバーの「両側(5)と離隔」を、願書に添付した明細書の第4頁22行〜同5頁28行などに記載した構造と機能と作用効果の範囲内で明確に釈明したものであるから、明りょうでない記載の釈明を目的とするものである。
　さらに、上記訂正事項ａないし訂正事項ｈは、願書に添付した明細書又は図面に記載した事項の範囲内であり、また、実質上特許請求の範囲を拡張し、又は変更するものではない。
　
(2-3)むすび
　以上のとおりであるから、上記訂正は、特許法第１２０条の４第２項及び同条第３項において準用する特許法第１２６条第２項及び第３項の規定に適合するので、当該訂正を認める。　
　
３．特許異議申立てについて
(3-1)申立ての概要
　申立ての概要は、訂正前の本件発明は、甲第１号証ないし甲第４号証記載の発明に基いて当業者が容易に発明をすることができたものであるから、特許法第２９条第２項の規定に違反して特許されたものであり、また、訂正前の本件発明は、その発明の詳細な説明にも記載されていない部分までも含めて特許されているから、特許法第３６条第４項の規定に違反しているというものである。　
(3-2)本件発明
　本件の請求項１に係る発明（本件発明）は、訂正明細書の特許請求の範囲に記載された事項により特定される次のとおりのものである。
　「一側に軒先取付止着盤(1)を設けた片持梁(2)の他側を下方側に折曲した段付平坦部分(3)に穿孔した止着軸貫通孔(4)に先細段付止着軸(5)を遊嵌した軒先取付金具(A)の下方側に、該先細段付止着軸(5)の走行用スリット孔(9)を雨樋幅方向に穿設して軒先側端部に雨樋端縁部装着部材(10)を設けまたその他側縁部に雨樋端部持上爪(11)を設けかつ両端縁に軒先取付金具(A)の段付平坦部分(3)を走行ガイドするフランジ部材(12)を設けた雨樋架設梁(B)を前記した先細段付止着軸(5)を介して走行可能に装着すると共に、先細段付止着軸(5)の下端部に嵌着して枢動しかつ雨樋架設梁(B)に当接する円弧断面形状の回転支持用突起物(16)を先細段付止着軸(5)を介して幅方向両側に設けまた遊嵌孔(17)及び該回転支持用突起物(16)の位置から離隔し軒先取付止金具(A)と雨樋架設梁(B)との非締結時に雨樋架設梁(B)に重合されない位置に該回転支持用突起物(16)よりも着丈の高い円弧断面形状の雨樋架設梁押上げ突起物(18)を設けた水平方向に回転自在な雨樋架設梁固定用駆動レバー(15)から構成した事を特徴とする雨樋支持金具。」　
　
(3-3)特許法第２９条第２項について
（甲号証記載の発明）
　甲第１号証（実開昭５８−１２３１３３号公報）には、嵌合部７より下部に抜け止め用の頭部１０がついたかしめ具１１を挿入し、かしめ具１１の上端部の細径部１４に弧状に曲った板ばね１２を挿入して細径部１４の基部の段部１３に載置し、細径部１４に板ばねの上方への移動を阻止するためのストッパー１５を設けて板ばね１２の下端を深絞り細長部の内面に圧接した軒樋受金具が記載されている。
　甲第２号証（実開昭５８−４５８３２号公報）には、取付片２と案内片４、及び前立片３の三者を角根軸５にて結合し、案内片４と取付片２とに、案内片４を押し上げると角孔６ａから丸孔６ｂに移行して角根軸５の角軸部５ａに対し回動可能となる縦長の鍵形孔６と角根軸５に対し不回動状に嵌挿される角形孔７とを夫々各別に設けた角樋受金具が記載されている。
　甲第３号証（実開昭６３−１９５０２６号公報）には、板状片からなる取付部材１とその面上に回動又はスライド自由に添接支持される受け部材２とをリベット等の止軸２で緩く結合し、止軸３の外端の頭部４と取付部材１との間に回動操作により両部材１、２が緩繋自在となる凹凸面部を具備した蝶形の回転つまみ５を設けた樋受金具等の締結装置が記載されている
　甲第４号証（実開平３−４１０２１号公報）には、一側に取付け片部１９を設けた上片部１７の他側を下方側に折曲した段付平坦部分に穿孔した長孔１２に結合杆１４を遊嵌した取付け板５の下方側に、結合杆１４の孔を穿設して軒先側端部に軒樋耳保持部２を設けまたその他側縁部に軒樋耳係止片１１を設けかつ両端縁に取付け板５の段付平坦部分を走行ガイドする補強リブ７を設けた帯状板体１を結合杆１４を介して走行可能に装着し、結合杆１４の上端部には回転操作板１５が設けられ、回転操作板１５の周縁下側には傾斜縁部１６が形成され、回転操作板１５の回動により帯状板体１と取付け板５とを締め付け挟持する軒樋吊り具が記載されている。
　
（対比・判断）
　本件発明と甲第４号証記載の発明とを対比すると、甲第４号証記載の発明の「取付け片部１９」、「取付け板５」、「帯状板体１」が、本件発明の「軒先取付止着盤(1)」、「軒先取付金具(A)」、「雨樋架設梁(B)」に相当し、甲第４号証記載の発明の「結合杆１４」と本件発明の「先細段付止着軸(5)」とは、止着軸である点で一致するから、
両者は、
　「一側に軒先取付止着盤(1)を設けた片持梁(2)の他側を下方側に折曲した段付平坦部分(3)に穿孔した止着軸貫通孔(4)に止着軸を遊嵌した軒先取付金具(A)の下方側に、止着軸の孔を穿設して軒先側端部に雨樋端縁部装着部材(10)を設けまたその他側縁部に雨樋端部持上爪(11)を設けかつ両端縁に軒先取付金具(A)の段付平坦部分(3)を走行ガイドするフランジ部材(12)を設けた雨樋架設梁(B)を止着軸を介して走行可能に装着した雨樋支持金具。」である点で一致するが、　
　本件発明が、(a)「先細段付止着軸(5)の下端部に嵌着して枢動しかつ雨樋架設梁(B)に当接する円弧断面形状の回転支持用突起物(16)を先細段付止着軸(5)を介して幅方向両側に設けまた遊嵌孔(17)及び該回転支持用突起物(16)の位置から離隔し軒先取付止金具(A)と雨樋架設梁(B)との非締結時に雨樋架設梁(B)に重合されない位置に該回転支持用突起物(16)よりも着丈の高い円弧断面形状の雨樋架設梁押上げ突起物(18)を設けた水平方向に回転自在な雨樋架設梁固定用駆動レバー(15)から構成した」のに対し、甲第４号証記載の発明は、止着軸（結合杆１４）の上端部に傾斜縁部１６を有する回転操作盤１５を設けた点で少なくとも相違する。
　上記相違点を検討すると、本件発明と同一技術分野の雨樋支持金具において、甲第１号証には、嵌合部７より下部に抜け止め用の頭部１０がついた先細段付止着軸（かしめ具１１）を挿入し、先細段付止着軸（かしめ具１１）の上端部の細径部１４に弧状に曲った板ばね１２を挿入して細径部１４の基部の段部１３に載置し、細径部１４に板ばねの上方への移動を阻止するためのストッパー１５を設けて板ばね１２の下端を深絞り細長部の内面に圧接したことが記載され、甲第２号証には、取付片２と案内片４、及び前立片３の三者を角根軸５にて結合し、案内片４と取付片２とに、案内片４を押し上げると角孔６ａから丸孔６ｂに移行して角根軸５の角軸部５ａに対し回動可能となる縦長の鍵形孔６と角根軸５に対し不回動状に嵌挿される角形孔７とを夫々各別に設けたことが記載され、甲第３号証には、板状片からなる取付部材１とその面上に回動又はスライド自由に添接支持される受け部材２とをリベット等の止軸２で緩く結合し、止軸３の外端の頭部４と取付部材１との間に回動操作により両部材１、２が緩繋自在となる凹凸面部を具備した蝶形の回転つまみ５を設けたことが記載されているが、甲第１号証ないし甲第３号証のいずれにも、本件発明の限定事項である上記(a)は記載されていない。
　したがって、本件発明は、甲第１号証ないし甲第４号証記載の発明に基いて当業者が容易に発明をすることができない。
　
(3-4)特許法第３６条について
　申立人の主張は、本件発明の雨樋架設梁押上げ突起物は、「隔離する位置」というだけでは、その作用、効果を達成できない部分までもが含まれており、本件発明は、その発明の詳細な説明にも記載されていない部分までも含めて特許されているというものであるが、訂正請求により訂正された上記「(3-2)本件発明」に記載されているとおり、この点は解消されたから、申立人の主張は理由がない。
　
４．むすび　
　以上のとおりであるから、特許異議申立ての理由及び証拠によっては、本件発明についての特許を取り消すことができない。
　また、他に本件発明についての特許を取り消すべき理由を発見しない。
　よって、結論のとおり決定する
【異議決定日】
平成１４年１０月１６日（２００２．１０．１６）
【訂正の要旨】
訂正の要旨
　下記訂正事項ａ、ｆ、ｇ及びｉは誤記の訂正を目的とし、下記訂正事項ｂ〜ｅ及びｈは明りょうでない記載の釈明を目的とする。
ａ：特許請求の範囲の請求項１中の第１行（特許公報第１欄第２〜３行）「型持ち梁（２）」を、「片持梁（２）」と訂正する。
ｂ：特許請求の範囲の請求項１中の第５行（特許公報第１欄第７〜８行）「装着部材（１０）を設けその他側端部に」を、「装着部材（１０）を設けまたその他側端部に」と訂正する。
ｃ：特許請求の範囲の請求項１中の第９〜１３行（特許公報第１欄第１４行〜第２欄第４行）「回転支持用突起物（１６）を先細段付止着軸（５）を介して両側に設けまた離隔する位置に該回転支持用突起物（１６）…雨樋支持金具」を、「回転支持用突起物（１６）を先細段付止着軸（５）を介して幅方向両側に設けまた遊嵌孔（１７）及び該回転支持用突起物（１６）の位置から離隔し軒先取付金具（Ａ）と雨樋架設梁（Ｂ）との非締結時に雨樋架設梁（Ｂ）に重合されない位置に該回転支持用突起物（１６）よりも背丈の高い円弧断面形状の雨樋架設梁押上げ突起物（１８）を設けた水平方向に回転自在な雨樋架設梁固定用駆動レバー（１５）から構成した事を特徴とする雨樋支持金具」と訂正する。
ｄ：明細書第３頁第４行（特許公報第３欄４６〜４７行）「軒先側端部に雨樋端縁部挟持部材を設けその他側端部に」を、「軒先側端部に雨樋端縁部挟持部材を設けまたその他側端部に」と訂正する。
ｅ：明細書第３頁第８〜１１行（特許公報第４欄第２〜７行）「先細段付止着軸を介して両側に設けまた離隔する位置に…雨樋支持金具である。」を、「先細段付止着軸を介して幅方向両側に設けまた遊嵌孔及び該回転支持用突起物の位置から離隔し軒先取付金具と雨樋架設梁との非締結時に雨樋架設梁に重合されない位置に該回転支持用突起物よりも背丈の高い円弧断面形状の雨樋架設梁押上げ突起物を設けた水平方向に回転自在な雨樋架設梁固定用駆動レバーから構成した事を特徴とする雨樋支持金具である。」と訂正する。
ｆ：明細書第３頁第１９〜２０行（特許公報第４欄第１６〜１８行）「段付平坦部分３に先細段付止着軸孔４を穿設している。該先細段付止着軸孔４には、図３で示す様な断面形状が先細段付形状の止着軸５が、装着される。止着軸５の段付断面形状は」を、「段付平坦部分３に止着軸貫通孔４を穿設している。該止着軸貫通孔４には、図３で示す様な断面形状が先細段付形状の止着軸５が、装着される。先細段付止着軸５の段付断面形状は」と訂正する。
ｇ：明細書第４頁第２０行（特許公報第５欄第７〜８行）「先細段付止着軸孔４」を、「止着軸貫通孔４」と訂正する。
ｈ：明細書第４頁第２４〜２８行（特許公報第５欄第１３〜２０行）「雨樋架設梁Ｂに当接して下方から押し上げる様に、押圧する円弧断面形状の回転支持用突起物１６を先細段付止着軸５の遊嵌孔１７を介して回転する両方向側に設けると共に、遊嵌孔１７あるいは回転支持用突起物１６の位置から離隔する位置に、該回転支持用突起物１６よりも背丈の高い円弧断面形状の雨樋架設梁押上げ突起物１８を設けて構成されている。」を、「雨樋架設梁Ｂに当接して下方側から該雨樋架設梁Ｂを押し上げる様に、先細段付止着軸５の下端部に嵌着して枢動しかつ雨樋架設梁Ｂに当接する円弧断面形状の回転支持用突起物１６を先細段付止着軸５を介して幅方向両側に設け、さらに遊嵌孔１７及び該転支持用突起物１６の位置から離隔し軒先取付金具Ａと雨樋架設梁Ｂとの非締結時に雨樋架設梁Ｂに重合されない位置に該回転支持用突起物１６よりも背丈の高い円弧断面形状の雨樋架設梁押上げ突起物１８を設けて、水平方向に回転自在に構成されている。」と訂正する。
ｉ：明細書第７頁策ＩＴ行（特許公報第７欄第８行）「４　先細段付止着軸孔」を、「４　止着軸貫通孔」に訂正する。
（５４）【発明の名称】
雨樋支持金具
（５７）【特許請求の範囲】
　【請求項１】　一側に軒先取付止着盤（１）を設けた片持梁（２）の他側を下方側に折曲した段付平坦部分（３）に穿孔した止着軸貫通孔（４）に先細段付止着軸（５）を遊嵌した軒先取付金具（Ａ）の下方側に、該先細段付止着軸（５）の走行用スリット孔（９）を雨樋幅方向に穿設して軒先側端部に雨樋端縁部装着部材（１０）を設けまたその他側縁部に雨樋端部持上爪（１１）を設けかつ両端縁に軒先取付金具（Ａ）の段付平坦部分（３）を走行ガイドするフランジ部材（１２）を設けた雨樋架設梁（Ｂ）を前記した先細段付止着軸（５）を介して走行可能に装着すると共に、先細段付止着軸（５）の下端部に嵌着して枢動しかつ雨樋架設梁（Ｂ）に当接する円弧断面形状の回転支持用突起物（１６）を先細段付止着軸（５）を介して幅方向両側に設けまた遊嵌孔（１７）及び該回転支持用突起物（１６）の位置から離隔し軒先取付止金具（Ａ）と雨樋架設梁（Ｂ）との非締結時に雨樋架設梁（Ｂ）に重合されない位置に該回転支持用突起物（１６）よりも背丈の高い円弧断面形状の雨樋架設梁押上げ突起物（１８）を設けた水平方向に回転自在な雨樋架設梁固定用駆動レバー（１５）から構成した事を特徴とする雨樋支持金具。
【発明の詳細な説明】
　【０００１】
　【発明の属する技術分野】
　本発明は、建造物の軒先に固定されて屋根を流れる雨水を集めて地上に流す雨樋の、支持金具に関するものである。
　【０００２】
　【従来の技術】
　建造物の屋根から流れ落ちる雨水によって建造物周囲に水溜まりや窪みを形成して美観を損ない、人の往来を邪魔する。また高温雨期シーズンにおいては室内に高い湿度をもたらす問題から、屋根を流れる雨水を集めて地上の側溝に流す雨樋が軒先に設けられている。その雨樋は、軒下に固定した樋支持具に抱持さる様に取付けられている。樋支持具は、雨樋が強風に煽られて変形しまた外れ落ちて人災を起こさぬ様に、頑丈な部材でしかも簡単に雨樋を取付け易い構造の樋支持具が開発され使用されている。例えば、特開平１０−１７６３９８号公報の「軒先に固定される取付杆の段付先端部に、樋を挟持する長さ方向に挟持幅調整用長孔を穿設した樋挟持具を接合しかつ該接合部を両側から強圧する直立回動機構の押圧緊縮レバーを設けた構造の樋支持具」、特開平１０−２５２２３０号公報の「軒先に固定される取付杆の段付先端部に、樋を挟持する長さ方向に挟持幅調整用長孔を穿説した樋挟持具を接合しかつ該接合部両側から強圧するカム機構の押圧緊縮レバーを設けた機構の樋支持具」、さらには特開平１１−１４１０７４号公報の「軒先に固定する取付杆の段付先端部と樋を挟持する長さ方向に挟持幅調整用長孔を穿設した樋支持具をテーパー付ストッパー部材を嵌装した連結体で接合し、該連結体の回転によるテーパー付ストッパー部材の押圧機構によって、取付杆と樋支持具の接合部を緊縮する機構の樋支持具」などがある。
　【０００３】
　【発明が解決しようとする課題】
　上記の様な従来の樋支持具は、樋挟持具に接合された軒先取付杆の段付先端部に設けられた、直立回転機構の押圧緊縮レバー操作あるいは回転するテーパー付ストッパー部材の押圧機構を内設した連結体の回転操作のよって、樋が軒先に簡単に取付けられる特長がある。しかしながら、上記の様なこれまでの樋支持具は、押圧緊縮レバーなどの締着機構が樋を取付けた上方にあるため、該締着機構を操作する場合に瓦やアスベストなどの屋根材に接触して締結機能が不十分であったり、長期間使用している間に雨や雪に晒され、締着機構の狭隘な隙間に水分が進入して腐食され、再使用できない問題があった、特に回転する連結体の押圧機構によって樋を締着する支持具は、締着部分に錆を発生して回転不能となり、回転補助具をしなければ再使用できない問題があった。
　【０００４】
　本発明は、この様な問題に鑑み種々検討した結果、締着機構に発生する腐食の促進を著しく防止しまた人力で簡単に強く確実に締着できる、樋支持具を提供する事を目的としたものである。
　【０００５】
　【課題を解決するための手段】
　その要旨は、一側に軒先取付止着盤を設けた片持ち梁の他側を下方側に折曲した段付平坦部分に穿孔した止着軸貫通孔に先細段付止着軸を遊嵌した軒先取付金具の下方側に、該先細段付止着軸の走行用スリット孔を雨樋幅方向に穿設して軒先側端部に雨樋端縁部装着部材を設けまたその他側縁部に雨樋端部持上爪を設けかつ両端縁に軒先取付止金具の段付平坦部分を走行ガイドするフランジ部材を設けた雨樋架設梁を前記した先細段付止着軸を介して走行可能に装着すると共に、先細段付止着軸の下端部に嵌着して枢動しかつ雨樋架設梁に当接する円弧断面形状の回転支持用突起物を介して幅方向両側に設けまた遊嵌孔及び該回転支持用突起物の位置から離隔し軒先取付止金具と雨樋架設梁との非締結時に雨樋架設梁に重合されない位置に該回転支持用突起物よりも背丈の高い円弧断面形状の雨樋架設梁押上げ突起物を設けた水平方向に回転自在な雨樋架設梁固定用駆動レバーから構成した事を特徴とする雨樋支持金具である。
　【０００６】
　【発明の実施の形態】
　以下、本発明の雨樋支持金具について、図面を参照しながら詳細に説明する。
　図１及び図２は、本発明の一実施例を側面図で示したもので、雨樋装着前（図１）と雨樋装着後（図２）を示す。また図３は、本発明の分解斜視図を示す。図１においてＡは、軒先取付金具である。軒先取付金具Ａは、一側に軒先取付止着盤１を設けた片持梁２の他側を、図３で示す様に、下方側に折曲した段付平坦部分３に止着軸貫通孔４を穿設している。該止着軸貫通孔４には、図３で示す様な断面形状が先細段付形状の止着軸５が、装着される。先細段付止着軸５の段付断面形状は、後述する様に本発明の締結機構を円滑に行うものであって、通常使用される平行ピンの如き同一径の止着軸では、後述する雨樋架設梁Ｂを定められた位置で円滑に締結できない問題が生じるので好ましいものでない。また軒先取付止着盤１は、建造物の軒先に釘や木螺子などの止着部材６を介して本発明の雨樋支持金具を取付けるものであって、必要によっては図３で示す様に、片持梁２の一側を下方側に折り曲げた片持部材７を軒先取付止着盤にして使用してもよい。なお、図は、片持梁２の一側を下方側に折り曲げた片持部材７に軒先取付止着盤１を設けた場合の実施例を示す。すなわち、軒先取付金具Ａは、片持梁構造で軒先取付止着盤１を介して、軒先（図示せず）に取付けられるものである。
　【０００７】
　Ｂは雨樋架設梁で、雨樋８を樋幅方向に把持するものである。雨樋架設梁Ｂは前記した先細段付止着軸５の走行用スリット孔９を雨樋８の幅方向に穿設し、さらに軒先側の端部には雨樋端縁部装着部材１０を設け、その他側の端部には雨樋端部持上爪１１を設け、さらに両端縁には本体の強化を図りまた軒先取付金具Ａの段付平坦部分３を円滑に走行ガイドするフランジ部材１２を設けて構成されている。本発明において雨樋端縁部装着部材１０は、雨樋８の軒先側縁曲げ加工端部を抱持するあるいは挟持する装着部材構造に設けられている。また雨樋端部持上爪１１は、雨樋８の他側端部に設けた下向き凹部１３内に嵌入し、該雨樋８を持ち上げて保持する様に設けられている。なお１４は、樋脱落防止板である。樋脱落防止板１４は、雨樋架設梁Ｂに架設された雨樋８が地上に外れ落ちるのを防止する雨樋Ｂの係留部材で、必要に応じて雨樋架設梁Ｂの雨樋端縁部装着部材１０側に設けられるものである。また樋脱落防止板１４は、雨樋端縁部装着部材１０に雨樋８を装着する際の作業上の利点から、可撓性金属材料を使用するとよい。すなわち、本発明において、雨樋架設梁Ｂは、雨樋８の開口側を把持する挟持構造に設けられ、しかも軒先取付金具Ａの段付平坦部分３に下方側より接合する様に取付けられている。
　【０００８】
　１５は、雨樋架設梁固定用駆動レバーである。雨樋架設梁固定用駆動レバー１５は、片持梁２の止着軸貫通孔４と雨樋架設梁Ｂの走行用スリット孔９を貫通させて嵌着し、枢動する先細段付止着軸５を介して下端側に装着されている。本発明において雨樋架設梁固定用駆動レバー１５は、先細段付止着軸５を介して軒先取付金具Ａと雨樋架設梁Ｂを強固に接合しまた離放するものであって、雨樋架設梁Ｂ側すなわち上面側には、雨樋架設梁Ｂに当接して下方側から該雨樋架設梁Ｂを押し上げる様に、先細段付止着軸５の下端部に嵌着して枢動しかつ雨樋架設梁Ｂに当接する円弧断面形状の回転支持用突起物１６を先細段付止着軸５を介して幅方向両側に設け、さらに遊嵌孔１７及び該回転支持用突起物１６の位置から離隔し軒先取付止金具Ａと雨樋架設梁Ｂとの非締結時に雨樋架設梁Ｂに重合されない位置に該回転支持用突起物１６よりも背丈の高い円弧断面形状の雨樋架設梁押上げ突起物１８を設けて、水平方向に回転自在に構成されている。なお、本発明においては、雨樋架設梁固定用駆動レバー１５に穿設する先細段付止着軸５の遊嵌孔１７と円弧断面形状の回転支持用突起物１６らとの配置関係を特定するものではないが、雨樋架設梁固定用駆動レバー１５の回転駆動によってより安定な締結を行うためには、図４で示す様に、回転支持用突起物１６を遊嵌孔１７の孔心から一側に偏心Ｘさせかつ該遊嵌孔１７を介して回転方向側に離隔する両側に設け、さらに雨樋架設梁押上げ突起物１８を遊嵌孔１７から他側に離隔Ｙして設けるとよい。すなわち、雨樋架設梁固定用駆動レバー１５は、回転支持用突起物６を回転支持軸にして水平方向に回転（回動）し、雨樋架設梁押上げ突起物１８が雨樋架設梁Ｂを突き上げる様に押圧する事によって軒先取付止金具Ａと雨樋架設梁Ｂとを強く締結し、さらに該雨樋架設梁押上げ突起物１８の一部が雨樋架設梁Ｂの走行用スリット孔９に嵌め込む様に回動する事によって安定した締結機能を得ることが出来る。
　【０００９】
　なお、本発明においては締結操作が容易に行われる様に、先細段付止着軸５の頭部と軒先取付金具Ａの段付平坦部分３との間に、図３で示す様な通常使用されるバネ座金１９を装着して雨樋架設梁固定用駆動レバー１５の押圧代を確保する構造に設けてもよい。なお本発明において、バネ座金１９の代わりに平座金を使用しても構わないが、押圧力が確保されないため好ましいものではない。また軒先取付金具Ａや雨樋架設梁Ｂさらに雨樋架設梁固定用駆動レバー１５など締結に係る各部材を、多少上下に揺動できる様に、先細段付止着軸５で連結してもよい。さらに先細段付止着軸５の走行用スリット孔９には、雨樋架設梁固定用駆動レバー１５の雨樋架設梁押上げ突起物１８を安定して嵌着するために、その内周面を鋸歯状や波形状などの凹凸形状に設けてもよい。図３は、走行用スリット孔９の内周面を鋸歯状に加工した場合の例を示す。さらにまた走行用スリット孔９の孔巾については、先細段付止着軸５の上部側大径部が漸く貫通できる程度の大きさで穿設する事によって、両者間でがたつきが小さく、所定の位置でより安定な締結効果を求める事ができる。
　また本発明において使用する雨樋支持金具の材質は、強力な押圧や摩擦による損耗に耐えられる様に鉄、ステンレス、チタンなどの金属材あるいは金属材に耐食性金属メッキや表面塗装を施した表面処理金属材などが使用される。
　【００１０】
　上記の様に構成された本発明の雨樋支持金具は、図１で示す様に、建造物（図示せず）に軒先取付止着盤１を取付けた後、雨樋架設梁Ｂを左右に揺動しながら取付けられる雨樋Ｂの両端部を雨樋端縁部挟持部材１０と雨樋端部持上爪１１で把持する。しかる後、雨樋架設梁固定用駆動レバー１５は、図２で示す様に、回転支持用突起物１６を回転支点軸にしながら、雨樋架設梁押上げ突起物１８の頭部が雨樋架設梁Ｂの走行用スリット孔９に嵌め込められる位置まで、水平方向に回動する。この場合、先細段付止着軸５の小径側下端部に止着された雨樋架設梁固定用駆動レバー１５の雨樋架設梁押上げ突起物１８によって先細段付止着軸５をあるいは介在するバネ座金１９を介して下方側に引っ張る力によって、先細段付止着軸５の頭部側押圧力と雨樋架設梁押上げ突起物１８の押上圧力が相まう両者の挟圧力が作用し、軒先取付金具Ａと雨樋架設梁Ｂを強く締結する。また本発明は、上記の様に、先細段付止着軸５の上部側大径部によってがたつきが小さく軒先取付金具Ａと雨樋架設梁Ｂが一体的に結合され、また上部側小径部によって小さい力で雨樋架設梁固定用駆動レバー１５を回動する様に設けられているため、雨樋８を円滑で強固に取付ける効果を奏する。
　【００１１】
　【本発明の効果】
　以上の様な本発明の雨樋支持金具は、上面側に設けた雨樋架設梁押上げ突起物の梃子作用によって、高所取付作業の雨樋が簡単かつ強固に取付けられる特長がある。また本発明においては、雨樋の締結駆動部分が下面側に設けられているため円滑な締結動作を完全に行い、雨や雪熔け水の侵入による締結機能部分の腐食の進行が阻止され、錆の発生も著しく防止される効果から、長期間使用することができまた再利用する事もできる特長がある。
【図面の簡単な説明】
　【図１】
　本発明の一実施例で、雨樋装着前の側面図を示す。
　【図２】
　本発明の一実施例で、雨樋槽着後の側面図を示す。
　【図３】
　本発明の一実施例で、本発明の分解斜示図を示す。
　【図４】
　本発明における雨樋架設梁固定用駆動レバー１５の斜視図を示す。
　【符号の説明】
　　Ａ　軒先取付金具
　　Ｂ　雨樋架設梁
　　１　軒先取付止着盤
　　２　片持梁
　　３　段付平坦部分
　　４　止着軸貫通孔
　　５　先細段付止着軸
　　６　止着部材
　　７　片持部材
　　８　雨樋
　　９　走行用スリット孔
　１０　雨樋端縁部装着部材
　１１　雨樋端部持上爪
　１２　フランジ部材
　１３　下向き凹部
　１４　樋脱落防止板
　１５　雨樋架設梁固定用駆動レバー
　１６　回転支持用突起物
　１７　遊嵌孔
　１８　雨樋架設梁押上げ突起物
　１９　バネ座金